(57)【要約】      （修正有）【課題】ラッチを間違えて開けることを防止し、安全を確保することが可能なロック機能付き安全フックを提供する。【解決手段】フック体２０、ラッチ３０、スプリング４０および安全ロック５０を備え、安全ロックは、操作レバー５１およびスプリング栓５２を有し、スプリング栓はラッチのスライド溝３５に差し込まれ、かつ少なくとも一つの突起部５３を有し、安全ロックが内側にスライドし、突起部をスライド溝のロック孔３６に嵌め込み、操作レバーがフック体の陥没溝およびラッチの口部３８の外に据えられ、操作レバーをフック体内に沈下させればラッチはロック状態に維持される。また安全ロックが外側にスライドし、突起部をスライド溝の解錠孔３７に嵌め込み、操作レバーが陥没溝および口部から離間してロック機能を解除すると、ラッチを外側にスイングさせ、開放させることができる。【選択図】図６
0003188608.tif 000002
【実用新案登録請求の範囲】
【請求項１】
フック体、ラッチ、スプリングおよび安全ロックを備え、
前記フック体は、前端に形成された開口部と、内部に前記開口部と繋がるように形成されたチャンバーと、一側に形成された陥没溝とを有し、
前記ラッチは、前記チャンバー内に格納され、かつ前記フック体に連結され、かつ前記開口部の上部まで伸びるアームと、少なくとも一つのロック孔および解錠孔を有するスライド溝とを有し、前記アームは下方に欠け口を有し、前記欠け口と前記開口部の下部とは封鎖孔を構成し、前記スライド溝は外側に前記陥没溝と相互に対応する口部を有し、
前記スプリングは、前記フック体と前記ラッチとの間に装着され、弾力によって前記アームに前記開口部の上部を封鎖させ、
前記安全ロックは、操作レバーおよびスプリング栓を有し、前記スプリング栓は前記ラッチの前記スライド溝に差し込まれ、かつ少なくとも一つの突起部を有し、
前記安全ロックがスライドし、前記スプリング栓の前記突起部を前記スライド溝の前記ロック孔に嵌め込み、前記操作レバーが前記フック体の前記陥没溝および前記ラッチの前記口部の外に据えられる際、前記ラッチはロック状態に維持され、また前記安全ロックがスライドし、前記スプリング栓の前記突起部を前記スライド溝の前記解錠孔に嵌め込み、前記操作レバーが前記陥没溝および前記口部から離間して前記ラッチのロック機能を解除すると、前記ラッチを作動させて外側にスイングさせ、かつ前記アームと前記フック体の前記開口部とを離間させることができることを特徴とする安全フック。
【請求項２】
前記安全フックは、前記フック体の末端に形成されたシャフトを囲んで回転する回転リングをさらに備えることを特徴とする請求項１に記載の安全フック。
【請求項３】
前記解錠孔および前記ロック孔は、相互に対応するように前記スライド溝の二つの壁面に一対ずつ配置され、
前記スプリング栓は、前記操作レバーの内側から奥まで延びるように形成され、かつ二つの弾性ユニットに分割され、
前記突起部は、二つの前記弾性ユニットの自由端から外側に突出して形成されることを特徴とする請求項１に記載の安全フック。
【請求項４】
前記ラッチは、前記アームの上方に形成された陥没部を有することを特徴とする請求項１に記載の安全フック。
【考案の詳細な説明】
【技術分野】
【０００１】
本考案は、安全ロック付き安全フックに関するものである。
【背景技術】
【０００２】
図１に示したのは従来の回転フック８０の断面である。回転フック８０は、フック体８１と、フック体８１にスライドできるように装着されたラッチ８２と、フック体８１とラッチ８２との間に圧縮力によって作用するスプリング８４とを備える。フック体８１は、一端に形成されたフック８５および他端に形成されたシャフト８６を有する。フック８５は、ペットの首輪および散歩用リードなどの連結対象物７０上のリング７１を引っ掛けることができる。シャフト８６は回転リング８３の装着に用いられる。回転リング８３は、ベルト９０またはそれに似ているもの、例えばひも、チェーンなどの連結に用いられる。スプリング８４は弾力によってラッチ８２をフック８５が閉まる位置に維持するのに対し、フック８５とラッチ８２は封鎖孔８７を構成する。このときリング７１を連結すれば連結の目的を達成することができる。
【０００３】
図２に示したのは別の従来の回転フック８０ａの断面である。回転フック８０ａは、上述した回転フック８０とほぼ同じで、フック８５ａおよびシャフト８６ａを有するフック体８１ａと、フック８５ａの開閉に用いるラッチ８２ａと、シャフト８６ａに回転できるように装着された回転リング８３ａと、フック体８１ａとラッチ８２ａとの間に装着されたスプリング８４ａとから構成される。回転フック８０と回転フック８０ａとの違いは次の通りである。回転フック８０ａにおいて、ラッチ８２ａはフック体８１ａにスイングできるように装着される。スプリング８４ａはねじりスプリングから構成される。ラッチ８２ａは弾力によってフック８５ａが閉まる位置に維持されることで封鎖孔８７ａが形成される。封鎖孔８７ａとリング７１とは相互に連結される。
【先行技術文献】
【特許文献】
【０００４】
【特許文献１】特開２００７−１１７５７３号公報
【考案の概要】
【考案が解決しようとする課題】
【０００５】
上述した回転フック８０、８０ａのラッチ８２、８２ａは、外側に突出するレバー８８、８８ａを有する。レバー８８、８８ａはラッチ８２、８２ａの操作に用いられる。しかしながら、レバー８８、８８ａは外側に突出するため、リング７１または外力によって間違って動くとラッチ８２、８２ａを解放し、フック８５、８５ａとリング７１とを離間させ、連結作用を失ってしまうような事態を招くかもしれない。このような事態が深刻な場合、繋がれた犬が突然解放されるといった出来事が発生する。
【０００６】
本考案は、上述した問題を解決するため、ラッチを間違えて開けることを防止し、安全を確保することが可能なロック機能付き安全フックを提供することを主な目的とする。
【課題を解決するための手段】
【０００７】
本考案による安全フックは、前端に開口部を有するフック体と、フック体の末端に配置された回転リングと、フック体の内部に連結されたラッチと、ラッチにスライドできるように装着された安全ロックと、フック体とラッチの間に支持されたスプリングとを備える。ラッチのアームはスプリングの弾力を介して開口部の上部を封鎖し、かつ下方に欠け口を有する。欠け口と開口部の下部とは封鎖孔を構成するため、連結対象物のリングをロックすることができる。安全ロックはロック位置までスライドする際にラッチにロック機能を果たすため、ラッチを間違えて動かして開口部を開放し、リングとフック体とを離間させるような出来事を防止することができる。安全ロックは解錠位置までスライドする際、ラッチを作動させ、外側にスイングさせるため、アームをフック体の開口部から離し、リングを外すことができる。
【０００８】
従来の回転フックに対し、本考案は、安全ロックによってラッチをロックするため、ラッチを間違えて開ける可能性を排除し、連結対象物の脱落を防止し、回転フックの安全性を向上させることができる。
【０００９】
本考案の技術内容、目的および特徴は以下の図面および詳細な実施形態の説明によって判明する。
【図面の簡単な説明】
【００１０】
【図１】従来の回転フックを示す断面図である。
【図２】別の従来の回転フックを示す断面図である。
【図３】本考案の一実施形態による安全フックのロック状態を示す斜視図である。
【図４】本考案の一実施形態による安全フックを示す分解斜視図である。
【図５】本考案の一実施形態による安全フックのロック状態を示す断面図である。
【図６】本考案の一実施形態による安全フックの解錠状態を示す断面図である。
【考案を実施するための形態】
【００１１】
以下、本考案による安全フックを図面に基づいて説明する。
（一実施形態）
図３〜図５に示すように、本考案の一実施形態による安全フック１０は、フック体２０、ラッチ３０、スプリング４０、安全ロック５０および回転リング６０から構成される。
【００１２】
フック体２０は、前端に形成された開口部２１、および、内部に開口部２１と繋がるように形成されたチャンバー２２を有し、末端に形成されたシャフト２３と、一側に形成された陥没溝２４と、開口部２１の下方に位置する締付孔２６とを有する。開口部２１は、図１に示したリング７１と安全フック１０とを連結する通路となる。チャンバー２２はラッチ３０の格納に用いられる。これらのユニットの作動について後ほど詳細に述べる。
【００１３】
ラッチ３０は、フック体２０のチャンバー２２内に格納され、締付孔２６と同じ軸線においてリベットなどの締付ユニット２５の貫通に用いる装着孔３２を有し、かつ締付ユニット２５によってフック体２０に連結されるため、締付ユニット２５を支点にフック体２０に向かってスイングすることができる。また、ラッチ３０はアーム３１を有する。アーム３１は、フック体２０の開口部２１の上部まで拡張され、かつラッチ３０のスイングに伴って開口部２１を開閉する。アーム３１は下方に欠け口３３を有する。欠け口３３と開口部２１の下部２７とは封鎖孔３４を構成することによってリング７１を連結し、連結作用を果たすことができる。ラッチ３０はスライド溝３５をさらに有する。スライド溝３５はそれぞれ相互に対応するようにスライド溝３５の二つの壁面に配置された一対のロック孔３６および一対の解錠孔３７を有することによって安全ロック５０をロック位置または解錠位置に維持する。図４に示すように、スライド溝３５は、ラッチ３０の内部に配置されるが、これに限らずラッチ３０の表面に配置されてもよい。ラッチ３０は、スライド溝３５の外側に形成された口部３８をさらに有する。口部３８とフック体２０の陥没溝２４とは相互に対応し、安全ロック５０の操作レバー５１の格納に用いられる。
【００１４】
スプリング４０は、ラッチ３０を本来の位置まで自動的に復元させる弾性ユニットである。スプリング４０は、一端がラッチ３０の末端の翼部３９に当接し、他端がチャンバー２２の内壁に当接することによって圧迫状態を呈する。そのため、アーム３０は、スプリング４０の弾力によって開口部２１の上部を封鎖することができる。図面に示した実施形態において、スプリング４０は圧縮力によって作用する圧縮スプリングを採用するが、これに限らず、別の効果が同等な弾性ユニットを採用してもよい。
【００１５】
安全ロック５０は、ラッチ３０のスライド溝３５にスライドできるように装着され、かつラッチ３０のロックまたは解錠に用いられる。安全ロック５０は、操作レバー５１およびスプリング栓５２を有する。操作レバー５１は、指で安全ロック５０を操作する際に使用され、かつラッチ３０の操作を簡単に行うことができる。スプリング栓５２は、操作レバー５１の内側から奥のスライド溝３５内まで伸びてスライドする板状ユニットであり、二つのユニットに分割され、かつ二つのユニットの自由端を外側に突出させて形成した突起部５３を有する。突起部５３は、安全ロック５０のスライドに応じてスライド溝３５内のロック孔３６または解錠孔３７と結合することによって安全ロック５０をロック位置または解錠位置に維持すると同時にラッチ３０の作動を制限または許可する。図面に示した本実施形態において、突起部５３、ロック孔３６および解錠孔３７は一対ずつ配置されるが、これに限らず、突起部５３、ロック孔３６および解錠孔３７は一つのみであっても同じ効果を達成することができる。
【００１６】
回転リング６０は、フック体２０のシャフト２３の回転に対応するシャフト孔６１を有し、シャフト孔６１によってフック体２０に連結され、シャフト２３を囲んで自由自在に回転すると同時に図１に示したベルト９０またはそれに似ているもの、例えばひも、チェーンなどを連結することができる。
【００１７】
図５に示すように、安全ロック５０が内側にスライドし、突起部５３をロック孔３６に嵌め込み、操作レバー５１がフック体２０の陥没溝２４およびラッチ３０の口部３８の外に据えられる際、操作レバー５１をフック体２０内に沈下させればラッチ３０にロック機能を果たし、ラッチ３０をロック状態に維持することができる。さらに、完全ロック５０が解錠されなかった上でラッチ３０を作動させることを制限し、かつラッチ３０を間違えて動かす可能性を最小限に減少させ、連結対象物７０のリング７１の落下を防止することができる。
【００１８】
図６に示すように、安全ロック５０が外側にスライドし、突起部５３を解錠孔３７に嵌め込み、操作レバー５１がフック体２０の陥没溝２４およびラッチ３０の口部３８から離間する、即ちラッチ３０にロック機能を解除すると、操作レバー５１またはラッチ３０のアーム３１の上方に形成された陥没部２８によってラッチ３０を作動させ、かつラッチ３０を外側にスイングさせ、アーム３１とフック体２０の開口部２１とを離間させることによってリング７１を外すことができる。
【００１９】
以上、本考案は、上記実施形態になんら限定されるものではなく、考案の趣旨を逸脱しない範囲において種々の形態で実施可能である。
【符号の説明】
【００２０】
１０：安全フック
２０：フック体
２１：開口部
２２：チャンバー
２３：シャフト
２４：陥没溝
２５：締付ユニット
２６：締付孔
２７：下部
２８：陥没部
３０：ラッチ
３１：アーム
３２：装着孔
３３：欠け口
３４：封鎖孔
３５：スライド溝
３６：ロック孔
３７：解錠孔
３８：口部
３９：翼部
４０：スプリング
５０：安全ロック
５１：操作レバー
５２：スプリング栓
５３：突起部
６０：回転リング
６１：シャフト孔
７０：連結対象物
７１：リング
８０、８０ａ：回転フック
８１、８１ａ：フック体
８２、８２ａ：ラッチ
８３、８３ａ：回転リング
８４、８４ａ：スプリング
８５、８５ａ：フック
８６、８６ａ：シャフト
８７、８７ａ：封鎖孔
８８、８８ａ：レバー
９０：ベルト
【図１】
0003188608.tif 000003
【図２】
0003188608.tif 000004
【図３】
0003188608.tif 000005
【図４】
0003188608.tif 000006
【図５】
0003188608.tif 000007
【図６】
0003188608.tif 000008